(57)【要約】【課題】容易に組み立てることができるラジオ装置を提供する。【解決手段】収納部材４００に、背面閉塞部４３０の折曲状態を規制する当接板状部４２２および当接舌片部４２３を横面部４２１に一体的に設けるとともに、横面部４２１の折曲状態を規制する係合舌片部４２５および係止孔部４３４を横面部４２１および背面閉塞部４３０にそれぞれ一体的に設けている。このため、横面部４２１および背面閉塞部４３０を下面閉塞部４１０の一面側に折曲した後に、当接板状部４２２および当接舌片部４２３に背面端部４３３を狭持させるとともに、係合舌片部４２５および係止孔部４３４を係合させるだけで、収納部材４００を組み立てることができる。【選択図】図２
2007142166.tif 000002
【特許請求の範囲】
【請求項１】
板状の基部と、この基部の第１の側縁に連続しこの第１の側縁に沿って折曲可能に設けられた板状の第１の側面部と、前記基部における前記第１の側縁近傍の第２の側縁に連続しこの第２の側縁に沿って折曲可能に設けられた板状の第２の側面部と、を備え、前記基部と、この基部の一面側に折曲された前記第１の側面部および前記第２の側面部と、により収納物を収納可能な収納空間が形成される収納部材であって、
前記第１の側面部および前記第２の側面部のうち少なくともいずれか一方の側面部に一体的に設けられ、前記第１の側面部の折曲状態を規制する第１の折曲規制部と、
前記第１の側面部および前記第２の側面部のうち少なくともいずれか一方の側面部に一体的に設けられ、前記第２の側面部の折曲状態を規制する第２の折曲規制部と、
を具備したことを特徴とした収納部材。
【請求項２】
請求項１に記載の収納部材であって、
前記第１の折曲規制部は、前記第２の側面部における前記第１の側面部に隣り合う側縁近傍から前記第２の側面部の一面と交差する方向に延出し前記第１の側面部における前記収納空間に対向しない面側に当接される第１の当接延出部と、この第１の当接延出部よりも前記第２の側面部の中心側から前記第１の当接延出部と略同一方向に延出し前記第１の側面部における前記収納空間に対向する面側に当接される第２の当接延出部と、を備えた
ことを特徴とした収納部材。
【請求項３】
請求項２に記載の収納部材であって、
前記第１の当接延出部および前記第２の当接延出部のうち一方の当接延出部は、延出先端に従って他方の当接延出部との距離が長くなる状態に傾斜する延出傾斜部を備えた
ことを特徴とした収納部材。
【請求項４】
請求項２または請求項３に記載の収納部材であって、
前記第２の側面部と、前記第１の当接延出部および前記第２の当接延出部のうち一方の当接延出部は、金属板が折曲加工されることにより形成され、
他方の当接延出部は、前記第２の側面部および前記一方の当接延出部の境界近傍部分が舌片状に切り起こされることにより形成された
ことを特徴とした収納部材。
【請求項５】
請求項４に記載の収納部材であって、
前記第２の折曲規制部は、前記第１の側面部における前記第２の側面部に隣り合う側縁近傍に設けられた係止部と、前記一方の当接延出部に設けられ前記係止部が係合する係合部と、を備えた
ことを特徴とした収納部材。
【請求項６】
請求項５に記載の収納部材であって、
前記係合部は、前記一方の当接延出部の一部が舌片状に切り起こされることにより形成され、
前記係止部は、前記係合部が係合される孔状に形成された
ことを特徴とした収納部材。
【請求項７】
請求項６に記載の収納部材であって、
前記係合部は、前記舌片状の基端側が前記一方の当接延出部の延出先端側に位置し、先端側が前記一方の当接延出部の延出基端側に位置する状態で形成された
ことを特徴とした収納部材。
【請求項８】
請求項５に記載の収納部材であって、
前記係合部は、前記一方の当接延出部の一部が絞り加工されることにより形成され、
前記係止部は、前記係合部が係合される孔状に形成された
ことを特徴とした収納部材。
【請求項９】
請求項８に記載の収納部材であって、
前記係合部は、先端に従って縮径する凸状に形成された
ことを特徴とした収納部材。
【請求項１０】
請求項１ないし請求項４のいずれかに記載の収納部材であって、
前記第２の折曲規制部は、前記第１の側面部および前記第２の側面部のうち一方の側面部における他方の側面部に隣り合う側縁近傍に設けられた係止部と、前記他方の側面部における前記一方の側面部に隣り合う側縁近傍に設けられ前記係止部が係合する係合部と、を備えた
ことを特徴とした収納部材。
【請求項１１】
請求項１ないし請求項１０のいずれかに記載の収納部材であって、
前記基部、前記第１の側面部、および、前記第２の側面部は、金属板で形成された
ことを特徴とした収納部材。
【請求項１２】
請求項１ないし請求項１１のいずれかに記載の収納部材と、
この収納部材とで前記収納空間を閉塞する状態で設けられた閉塞部材と、
前記収納空間に収納され供給される電力により動作して所定の処理を実施する前記収納物としての処理部と、
を具備したことを特徴とした電子機器。
【発明の詳細な説明】
【技術分野】
【０００１】
本発明は、板状の基部と、この基部の側縁に沿って一面側に折曲された第１の側面部および第２の側面部と、により収納物を収納可能な収納空間が形成される収納部材、および、電子機器に関する。
【背景技術】
【０００２】
従来、板状部材が折曲されることにより電子機器などの収納物を収納可能な収納空間が形成される構成が知られている（例えば、特許文献１参照）。
【０００３】
この特許文献１に記載の構成のものは、主フレームの第一の側板と、第二の側板から伸びた板と、を重ね合わせる。そして、それぞれに施した穴、ねじ穴を通してねじ部材を締結し、第一の側板と板とを固定する構成が採られている。また、特許文献１に記載の他の構成のものは、第二の側板から伸びた板にバーリングを具備するとともに、第一の側板のバーリングに対する位置に穴を具備する。そして、バーリングを穴に挿通した後にバーリングをかしめて、第一の側板と板とを固定する構成が採られている。さらに、特許文献１に記載のさらに他の構成のものは、第一の側板の第二の側板に対する部分に凹部を形成し、第二の側板の第一の側板に対する部分に凸部を形成する。そして、凹部と凸部を嵌合させ、凹部に凸部をかしめて、第一の側板と板とを固定する構成が採られている。
【０００４】
【特許文献１】特開平６−３０２１７２号公報（第３頁）
【発明の開示】
【発明が解決しようとする課題】
【０００５】
しかしながら、上述したような特許文献１に記載のような構成では、側板を折曲する工程に加え、側板同士を固定するためのねじを締める工程やかしめる工程を設ける必要があり、作業が煩雑になるおそれがあるという問題点が一例として挙げられる。
【０００６】
本発明は、上述したような問題点に鑑みて、容易に組み立て可能な収納部材、および、電子機器を提供することを１つの目的とする。
【課題を解決するための手段】
【０００７】
請求項１に記載の発明は、板状の基部と、この基部の第１の側縁に連続しこの第１の側縁に沿って折曲可能に設けられた板状の第１の側面部と、前記基部における前記第１の側縁近傍の第２の側縁に連続しこの第２の側縁に沿って折曲可能に設けられた板状の第２の側面部と、を備え、前記基部と、この基部の一面側に折曲された前記第１の側面部および前記第２の側面部と、により収納物を収納可能な収納空間が形成される収納部材であって、前記第１の側面部および前記第２の側面部のうち少なくともいずれか一方の側面部に一体的に設けられ、前記第１の側面部の折曲状態を規制する第１の折曲規制部と、前記第１の側面部および前記第２の側面部のうち少なくともいずれか一方の側面部に一体的に設けられ、前記第２の側面部の折曲状態を規制する第２の折曲規制部と、を具備したことを特徴とした収納部材である。
【０００８】
請求項１２に記載の発明は、請求項１ないし請求項１１のいずれかに記載の収納部材と、この収納部材とで前記収納空間を閉塞する状態で設けられた閉塞部材と、前記収納空間に収納され供給される電力により動作して所定の処理を実施する前記収納物としての処理部と、を具備したことを特徴とした電子機器である。
【発明を実施するための最良の形態】
【０００９】
〔第１の実施の形態〕
以下、本発明の第１の実施の形態について図面に基づいて説明する。なお、この第１の実施の形態および後述する第２の実施の形態では、電子機器としてのラジオ装置を例示して説明するが、他の電子機器を対象とすることができる。図１は、本発明の第１の実施の形態に係るラジオ装置の分解斜視図である。図２は、ラジオ装置の収納部材の要部を示す斜視図である。図３は、図２におけるIII−III線に沿った断面図である。
【００１０】
［ラジオ装置の構成］
図１において、１００はラジオ装置で、このラジオ装置１００は、例えば移動体としての車両に搭載され、ラジオ放送を受信して出力させる。そして、ラジオ装置１００は、収納物としての処理部２００と、筐体３００と、などを備えている。
【００１１】
処理部２００は、筐体３００に収納されている。この処理部２００は、供給される電力により、受信したラジオ放送の図示しない音声出力部からの音声出力、音声の音量調整や音量表示、受信するラジオ放送の周波数調整や周波数表示などの各種処理を実施する。
【００１２】
筐体３００は、処理部２００が収納される収納空間３００Ａを有する四角箱状に形成されている。具体的には、筐体３００は、前面および上面が開口された略箱状の収納部材４００と、この収納部材４００の上面を閉塞する閉塞部材としての上面部材４７０と、収納部材４００の前面を略閉塞する閉塞部材としての前面部材４８０と、により、収納空間３００Ａを有する四角箱状に形成されている。
【００１３】
収納部材４００は、例えば鉄あるいはアルミニウムを主成分とした材料により形成されている。この収納部材４００は、四角板状の基部としての下面閉塞部４１０と、この下面閉塞部４１０の対向する一対の第２の側縁としての横側縁４１０Ａに略垂直に折曲形成された一対の横面閉塞部４２０と、第１の側縁としての背側縁４１０Ｂに横面閉塞部４２０と同一方向に略垂直に折曲形成された第１の側面部としての背面閉塞部４３０と、にて、前面および上面が開口された略箱状に形成されている。
【００１４】
横面閉塞部４２０は、横側縁４１０Ａに連続し、この横側縁４１０Ａに折曲可能に設けられた略四角板状の第２の側面部としての横面部４２１を有している。この横面部４２１は、横側縁４１０Ａと略等しい幅寸法を有している。また、横面部４２１の背面閉塞部４３０に隣り合う側縁には、横面部４２１の一面に対して垂直方向に延出する状態に略垂直に折曲された第１の当接延出部としての当接板状部４２２が一連に折曲形成されている。
【００１５】
横面部４２１における当接板状部４２２との境界近傍には、舌片状に切り起こし形成された２個の第２の当接延出部としての当接舌片部４２３が設けられている。ここで、当接板状部４２２と、当接舌片部４２３と、にて、本発明の第１の折曲規制部が構成されている。当接舌片部４２３は、境界部分に沿って所定間隔離れた状態で、かつ、当接板状部４２２よりも横面部４２１の中心側に位置する状態で設けられている。また、当接舌片部４２３は、図２および図３に示すように、当接板状部４２２と同一方向に延出し、かつ、平面視での当接板状部４２２との間隔が背面閉塞部４３０の後述する背面端部４３３の厚さ寸法よりも大きくなる状態に設けられている。そして、この当接舌片部４２３の先端には、延出先端に従って当接板状部４２２との距離が長くなる状態に傾斜する延出傾斜部としての当接舌片先端部４２４が一連に折曲形成されている。
【００１６】
当接板状部４２２の略中央には、舌片状に切り起こし形成された係合部としての係合舌片部４２５が設けられている。この係合舌片部４２５は、当接板状部４２２における横面部４２１との境界と対向する側縁側から中央側に延出する係合基端部４２５Ａを有している。また、この係合基端部４２５Ａの先端には、当接舌片部４２３に近づく方向に、係合基端部４２５Ａとのなす角度が鈍角となる状態に折曲された係合中間部４２５Ｂが一連に折曲形成されている。そして、この係合中間部４２５Ｂの先端には、係合基端部４２５Ａから離れる方向に延出し、かつ、当接板状部４２２と略平行となる状態に折曲された係合先端部４２５Ｃが一連に折曲形成されている。この係合先端部４２５Ｃは、平面視で当接板状部４２２および当接舌片部４２３の間に位置する状態に設けられている。すなわち、係合舌片部４２５は、先端側が当接板状部４２２の延出先端側に位置し、基端側が当接板状部４２２の延出基端側に位置する状態で設けられている。
【００１７】
背面閉塞部４３０は、背側縁４１０Ｂに連続し、この背側縁４１０Ｂに折曲可能に設けられた略四角板状の背面中央部４３１を有している。この背面中央部４３１は、背側縁４１０Ｂの長さ寸法よりも短い幅寸法を有し、幅方向中央が背側縁４１０Ｂの幅方向略中央と一致する状態で設けられている。また、背面中央部４３１の横面閉塞部４２０に隣り合う側縁には、背面中央部４３１の一面に対して垂直方向に略垂直に折曲された背面連結部４３２が一連に折曲形成されている。さらに、背面連結部４３２の先端には、背面中央部４３１の幅方向外側に延出し、かつ、背面中央部４３１と略平行となる状態に折曲された背面端部４３３が一連に折曲形成されている。この背面端部４３３は、当接板状部４２２の延出方向の長さ寸法と略等しく、かつ、背面中央部４３１の幅寸法との和が背側縁４１０Ｂの長さ寸法と略等しくなる延出方向の長さ寸法を有している。また、背面端部４３３は、背面連結部４３２の延出方向の長さ寸法が当接板状部４２２の板厚寸法と略等しくなる状態で設けられている。そして、背面端部４３３の延出先端側は、当接板状部４２２および当接舌片部４２３により狭持される。
【００１８】
また、この背面端部４３３の延出方向先端側には、先端面４３３Ａとのなす角度が鈍角となる状態に、かつ、当接板状部４２２に対向する面に連続する状態に形成された傾斜面４３３Ｂが設けられている。さらに、背面端部４３３の略中央には、略四角形状の係止部としての係止孔部４３４が開口形成されている。ここで、係合舌片部４２５と、係止孔部４３４と、にて、本発明の第２の折曲規制部が構成されている。係止孔部４３４は、係合舌片部４２５の外形状よりも大きい形状を有している。この係止孔部４３４には、係合先端部４２５Ｃが内部空間内に位置し、かつ、係合先端部４２５Ｃの先端面４２５Ｃ１が内周面に対して平行な状態で、係合舌片部４２５が係合される。
【００１９】
上面部材４７０は、例えば金属板により下面閉塞部４１０と略等しい四角板状に形成されている。この上面部材４７０は、例えば図示しないねじなどの取付部材により、収納部材４００の上面を閉塞する状態に固定される。
【００２０】
前面部材４８０は、例えば金属板により背面閉塞部４３０と略等しい四角板状に形成されている。この前面部材４８０は、図示しない表示面が配置される略四角状の表示窓４８１と、図示しない音量調整つまみや周波数調整つまみの回転軸が挿通される軸挿通孔４８２と、が開口形成されている。そして、前面部材４８０は、例えば上面部材４７０と同様の構成により収納部材４００の前面を閉塞する状態に固定される。
【００２１】
［収納部材の組み立て動作］
次に、収納部材４００の組み立て動作について説明する。図４は、横面閉塞部４２０および背面閉塞部４３０が折曲されていない状態を示す斜視図である。図５は、背面閉塞部４３０のみが折曲された状態を示す斜視図である。
【００２２】
まず、図４に示すように、横面閉塞部４２０および背面閉塞部４３０が折曲されていない収納部材４００を準備する。そして、図５に示すように、背面閉塞部４３０を、背側縁４１０Ｂに沿って下面閉塞部４１０とのなす角度が略直角となる状態に折曲し、この状態を例えば手で押さえて維持する。この後、横面閉塞部４２０を、横側縁４１０Ａに沿って折曲する。このように横面閉塞部４２０を横側縁４１０Ａに沿って折曲すると、当接板状部４２２と、下端側の当接舌片部４２３と、の間に、背面端部４３３の下端側が位置することとなる。
【００２３】
ここで、背面閉塞部４３０は、下面閉塞部４１０とのなす角度が略垂直となる状態よりも下面閉塞部４１０側に傾く状態で折曲されている場合、背面端部４３３の先端面４３３Ａと当接舌片部４２３に対向する面との接続部４３３Ｃが、当接舌片先端部４２４に当接する。そして、背面閉塞部４３０は、当接部分が当接舌片先端部４２４から当接舌片部４２３に移動することにより、下面閉塞部４１０とのなす角度が直角となる状態に折曲され、当接板状部４２２と、下端側の当接舌片部４２３と、の間に位置することとなる。
【００２４】
一方、背面閉塞部４３０は、下面閉塞部４１０とのなす角度が略垂直となる状態よりも下面閉塞部４１０と反対側に傾く状態で折曲されている場合、傾斜面４３３Ｂにおける先端面４３３Ａ側が当接板状部４２２に当接する。そして、背面閉塞部４３０は、当接部分が傾斜面４３３Ｂにおける先端面４３３Ａ側から延出基端側に移動することにより、下面閉塞部４１０とのなす角度が直角となる状態に折曲され、当接板状部４２２と、下端側の当接舌片部４２３と、の間に位置することとなる。
【００２５】
この後、横面閉塞部４２０をさらに折曲すると、背面端部４３３の傾斜面４３３Ｂが係合舌片部４２５の係合中間部４２５Ｂに当接する。さらに、横面閉塞部４２０の折曲を続けると、係合舌片部４２５と背面端部４３３との当接部分が係合中間部４２５Ｂに倣って係合先端部４２５Ｃに移動するとともに、この当接部分により係合先端部４２５Ｃが当接舌片部４２３から離れる方向に押圧されて、係合舌片部４２５が弾性変形する。また、背面端部４３３の上端側は、上端側の当接舌片先端部４２４により適宜案内されて、当接板状部４２２と、上端側の当接舌片部４２３と、の間に位置することとなる。
【００２６】
そして、さらに横面閉塞部４２０の折曲を続けると、図２および図３に示すように、係合先端部４２５Ｃが係止孔部４３４に係合して押圧が解除され、係合舌片部４２５が弾性変形前の形状に戻る。このような係合舌片部４２５および係止孔部４３４の係合により、横面閉塞部４２０を外側に折曲しようとした場合、係合先端部４２５Ｃの係合先端部４２５Ｃが係止孔部４３４の内周面に当接して移動が規制され、結果的に横面部４２１の折曲が規制されることとなる。そして、横面部４２１は、下面閉塞部４１０との角度が略直角となる状態に固定される。
【００２７】
また、背面端部４３３は、当接板状部４２２と、２つの当接舌片部４２３と、の間に位置し、これらにより狭持される。このような当接板状部４２２および当接舌片部４２３による背面端部４３３の狭持により、背面閉塞部４３０を外側や内側に折曲しようとした場合、当接板状部４２２や当接舌片部４２３に当接して移動が規制され、結果的に背面閉塞部４３０の折曲が規制されることとなる。そして、背面閉塞部４３０は、下面閉塞部４１０との角度が略直角となる状態に固定される。これにより、前面および上面が開口された略箱状の収納部材４００が形成される。
【００２８】
［第１の実施の形態の作用効果］
上述したように、上記第１の実施の形態では、収納部材４００に、背面閉塞部４３０の折曲状態を規制する第１の折曲規制部を横面部４２１に一体的に設けるとともに、横面部４２１の折曲状態を規制する第２の折曲規制部を横面部４２１および背面閉塞部４３０に一体的に設けている。このため、横面部４２１および背面閉塞部４３０を下面閉塞部４１０の一面側に折曲した後に、第１，第２の折曲規制部により背面閉塞部４３０および横面部４２１の折曲状態を規制させるだけで収納部材４００を組み立てることができる。したがって、折曲する工程の後にねじ止め工程やかしめる工程を設けることなく背面閉塞部４３０および横面部４２１を固定でき、収納部材４００を容易に組み立てることができる。
【００２９】
そして、第１の折曲規制部を、横面部４２１における背面閉塞部４３０に隣り合う側縁近傍から横面部４２１の一面に対して垂直方向に延出する当接板状部４２２と、この当接板状部４２２よりも横面部４２１の中心側から当接板状部４２２と同一方向に延出する当接舌片部４２３と、により構成している。このため、背面閉塞部４３０の背面端部４３３を当接板状部４２２および当接舌片部４２３により狭持させることにより、背面閉塞部４３０の折曲状態を規制できる。したがって、第１の折曲規制部の構成を簡略にできる。
【００３０】
また、当接舌片部４２３の先端に、延出先端に従って当接板状部４２２との距離が長くなる状態に傾斜する当接舌片先端部４２４を設けている。このため、収納部材４００を組み立てる際に、背面閉塞部４３０が略垂直よりも下面閉塞部４１０側に傾く状態で折曲された場合、すなわち背面端部４３３が当接板状部４２２および当接舌片部４２３の間に位置しない場合であっても、背面端部４３３と当接舌片先端部４２４とを当接させることにより、背面端部４３３を当接板状部４２２および当接舌片部４２３の間に案内して狭持させることができる。したがって、背面閉塞部４３０の折曲状態を厳密に管理しなくても背面端部４３３を狭持させることができ、収納部材４００をより容易に組み立てることができる。
【００３１】
そして、横面部４２１および当接板状部４２２を、金属板を折曲加工することにより形成するとともに、当接舌片部４２３を横面部４２１および当接板状部４２２の境界近傍部分を舌片状に切り起こすことにより形成している。このため、金属板を折曲および切り起こすことにより当接板状部４２２および当接舌片部４２３を形成でき、これらを横面部４２１とは異なる材料で形成する構成と比べて容易に形成できる。
【００３２】
さらに、第２の折曲規制部を、背面閉塞部４３０の背面端部４３３に開口形成された係止孔部４３４と、当接板状部４２２に設けられた係合舌片部４２５と、により構成している。このため、係止孔部４３４および係合舌片部４２５を係合させることにより、横面部４２１の折曲状態を規制できる。したがって、第２の折曲規制部の構成を簡略にできる。
【００３３】
そして、係合舌片部４２５を、当接板状部４２２の略中央を舌片状に切り起こすことにより形成している。このため、係合舌片部４２５の形成を容易にできる。
【００３４】
また、係合舌片部４２５を、先端側が当接板状部４２２の延出先端側に位置し、基端側が当接板状部４２２の延出基端側に位置する状態で設けている。このため、背面端部４３３の傾斜面４３３Ｂを係合舌片部４２５の係合中間部４２５Ｂに当接させることができ、この当接部分を係合中間部４２５Ｂに倣って係合先端部４２５Ｃに移動させることにより、係合舌片部４２５を係止孔部４３４に係合させることができる。一方、係合舌片部４２５を、先端側が当接板状部４２２の延出基端側に位置し、基端側が当接板状部４２２の延出先端側に位置する状態で設けた場合、背面端部４３３の先端面４３３Ａが係合先端部４２５Ｃの先端面４２５Ｃ１と対向して当接し、係合舌片部４２５を係止孔部４３４に係合させる作業が困難になるおそれがある。したがって、係合舌片部４２５を先端側が当接板状部４２２の延出基端側に位置する状態で設ける構成と比べて、係合舌片部４２５を係止孔部４３４に容易に係合させることができる。
【００３５】
そして、背面端部４３３に、先端面４３３Ａとのなす角度が鈍角となる状態に、かつ、当接板状部４２２に対向する面に連続する状態に形成された傾斜面４３３Ｂを設けている。このため、収納部材４００を組み立てる際に、背面閉塞部４３０が略垂直よりも下面閉塞部４１０と反対側に傾く状態で折曲され、背面端部４３３が当接板状部４２２および当接舌片部４２３の間に位置しない場合であっても、傾斜面４３３Ｂと当接板状部４２２とを当接させて、当接部分を傾斜面４３３Ｂに倣って移動させることにより、背面端部４３３を当接板状部４２２および当接舌片部４２３の間に案内して狭持させることができる。したがって、背面閉塞部４３０の折曲状態を厳密に管理しなくても背面端部４３３を狭持させることができ、収納部材４００をさらに容易に組み立てることができる。
【００３６】
また、下面閉塞部４１０、横面閉塞部４２０、および、背面閉塞部４３０を金属により形成している。このため、剛性が高い収納部材４００を提供できる。
【００３７】
さらに、容易に組み立て可能な収納部材４００をラジオ装置１００の筐体３００に適用している。このため、ラジオ装置１００の製造時の作業性を向上できる。
【００３８】
〔第２の実施の形態〕
次に、本発明の第２の実施の形態について図面に基づいて説明する。図６は、本発明の第２の実施の形態に係るラジオ装置の分解斜視図である。図７は、ラジオ装置の収納部材の要部を示す斜視図である。図８は、図７におけるVIII−VIII線に沿った断面図である。なお、第１の実施の形態と同一の構成については、同一名称および同一符号を付し説明を省略または簡略にする。また、第１の実施の形態と略等しい構成については、同一名称を付し説明を簡略にする。
【００３９】
［ラジオ装置の構成］
図６において、５００は電子機器としてのラジオ装置である。このラジオ装置５００は、処理部２００と、筐体６００と、などを備えている。筐体６００は、前面および上面が開口された収納部材７００と、上面部材４７０と、前面部材４８０と、により、収納空間３００Ａを有する四角箱状に形成されている。
【００４０】
収納部材７００は、鉄あるいはアルミニウムを主成分とした材料により形成され、下面閉塞部４１０と、横側縁４１０Ａに略垂直に折曲形成された一対の横面閉塞部７２０と、背側縁４１０Ｂに略垂直に折曲形成された第１の側面部としての背面閉塞部７３０と、にて、前面および上面が開口された略箱状に形成されている。横面閉塞部７２０は、横面部４２１を有している。この横面部４２１の背面閉塞部７３０に隣り合う側縁には、第１の当接延出部としての当接板状部７２２が一連に折曲形成されている。
【００４１】
横面部４２１における当接板状部７２２との境界近傍には、当接舌片部４２３が設けられている。ここで、当接板状部７２２と、当接舌片部４２３と、にて、本発明の第１の折曲規制部が構成されている。また、当接舌片部４２３の先端には、当接舌片先端部４２４が一連に折曲形成されている。
【００４２】
当接板状部７２２の略中央には、絞り加工により凸状に形成された係合部としての係合凸部７２５が設けられている。この係合凸部７２５は、図７および図８に示すように、当接板状部７２２の一面と直交する方向に向けて突出する状態に設けられている。また、係合凸部７２５は、平面状に形成された凸部先端面７２５Ａを有する略半球状に、かつ、高さ寸法が後述する係止孔部７３４の深さ寸法よりも小さくなる形状に形成されている。すなわち、係合凸部７２５は、先端に従って縮径する形状に形成されている。なお、先端に従って縮径する形状としては、略半球状に限らず、少なくとも先端側が略円錐状や略円錐台状となる形状としてもよい。
【００４３】
背面閉塞部７３０は、背面中央部４３１を有している。この背面中央部４３１には、背面連結部４３２が一連に折曲形成されている。さらに、背面連結部４３２の先端には、背面端部７３３が一連に折曲形成されている。この背面端部７３３の延出先端側は、当接板状部７２２および当接舌片部４２３により狭持される。
【００４４】
また、この背面端部７３３の延出方向先端側には、先端面７３３Ａと、傾斜面７３３Ｂと、が設けられている。さらに、背面端部７３３の略中央には、略四角形状の係止部としての係止孔部７３４が開口形成されている。ここで、係合凸部７２５と、係止孔部７３４と、にて、本発明の第２の折曲規制部が構成されている。係止孔部７３４は、係合凸部７２５の外形状よりも大きい形状を有している。この係止孔部７３４には、凸部先端面７２５Ａが内部空間内に位置する状態で、係合凸部７２５が係合される。
【００４５】
［収納部材の組み立て動作］
次に、収納部材７００の組み立て動作について説明する。図９は、横面閉塞部７２０および背面閉塞部７３０が折曲されていない状態を示す斜視図である。図１０は、背面閉塞部７３０のみが折曲された状態を示す斜視図である。なお、第１の実施の形態における組み立て動作と同一の動作については説明を省略または簡略にする
【００４６】
まず、図９に示すように、横面閉塞部７２０および背面閉塞部７３０が折曲されていない収納部材７００を準備する。そして、図１０に示すように、背面閉塞部７３０を折曲し、この状態を例えば手で押さえて維持する。この後、横面閉塞部７２０を、横側縁４１０Ａに沿って折曲する。このように横面閉塞部７２０を横側縁４１０Ａに沿って折曲すると、背面閉塞部７３０は、当接板状部７２２と、下端側の当接舌片部４２３と、の間に位置することとなる。ここで、背面閉塞部７３０は、下面閉塞部４１０とのなす角度が略垂直となる状態よりも下面閉塞部４１０側、あるいは、下面閉塞部４１０と反対側に傾く状態で折曲されている場合、背面端部７３３の接続部７３３Ｃおよび当接舌片先端部４２４の当接、あるいは、傾斜面７３３Ｂおよび当接板状部７２２の当接により、当接板状部７２２と、下端側の当接舌片部４２３と、の間に位置する状態に案内される。
【００４７】
この後、横面閉塞部７２０をさらに折曲すると、背面端部７３３の傾斜面７３３Ｂが係合凸部７２５の外周面に当接する。さらに、横面閉塞部７２０の折曲を続けると、係合凸部７２５と背面端部７３３との当接部分が略半球状の外周面に倣って凸部先端面７２５Ａ側に移動するとともに、この当接部分により当接板状部７２２が当接舌片部４２３から離れる方向に押圧されて、当接板状部７２２が弾性変形する。また、背面端部７３３の上端側は、上端側の当接舌片先端部４２４により適宜案内されて、当接板状部７２２と、上端側の当接舌片部４２３と、の間に位置することとなる。
【００４８】
そして、さらに横面閉塞部７２０の折曲を続けると、図７および図８に示すように、係合凸部７２５が係止孔部７３４に係合して押圧が解除され、当接板状部７２２が弾性変形前の形状に戻る。このような係合凸部７２５および係止孔部７３４の係合により、横面閉塞部７２０を外側に折曲しようとした場合、係合凸部７２５の外周面が係止孔部７３４の内周面に当接して移動が規制され、結果的に横面部４２１の折曲が規制されることとなる。また、背面端部７３３は、当接板状部７２２および当接舌片部４２３により狭持される。このような狭持により、背面閉塞部７３０の折曲が規制されることとなる。これにより、前面および上面が開口された略箱状の収納部材７００が形成される。
【００４９】
［第２の実施の形態の作用効果］
上述したように、上記第２の実施の形態では、収納部材７００に、背面閉塞部７３０の折曲状態を規制する第１の折曲規制部を横面部４２１に一体的に設けるとともに、横面部４２１の折曲状態を規制する第２の折曲規制部を横面部４２１および背面閉塞部７３０に一体的に設けている。このため、折曲する工程の後にねじ止め工程やかしめる工程を設けることなく背面閉塞部７３０および横面部４２１を固定でき、収納部材７００を容易に組み立てることができる。
【００５０】
そして、第１の折曲規制部を、背面閉塞部７３０の背面端部７３３を狭持する当接板状部７２２および当接舌片部４２３により構成している。このため、第１の折曲規制部の構成を簡略にできる。
【００５１】
また、当接舌片部４２３の先端に、当接舌片先端部４２４を設けている。このため、背面閉塞部７３０の折曲状態を厳密に管理しなくても背面端部７３３を狭持させることができ、収納部材７００をより容易に組み立てることができる。
【００５２】
さらに、横面部４２１および当接板状部７２２を金属板を折曲加工することにより形成するとともに、当接舌片部４２３を舌片状に切り起こすことにより形成している。このため、当接板状部７２２および当接舌片部４２３を横面部４２１とは異なる材料で形成する構成と比べて容易に形成できる。
【００５３】
そして、第２の折曲規制部を、背面端部７３３に開口形成された係止孔部７３４と、当接板状部７２２に設けられ係止孔部７３４に係合される係合凸部７２５と、により構成している。このため、第２の折曲規制部の構成を簡略にできる。
【００５４】
また、係合凸部７２５を、当接板状部７２２の略中央を絞り加工することにより凸状に形成している。このため、係合凸部７２５の形成を容易にできる。
【００５５】
さらに、係合凸部７２５を、先端に従って縮径する形状に形成している。このため、横面閉塞部７２０を、延出先端側が背面端部７３３から離れる状態に当接板状部７２２を弾性変形させるとともに、下面閉塞部４１０とのなす角度が鈍角となる状態に折曲することにより、係合凸部７２５および係止孔部７３４の当接部分を係合凸部７２５の基端側から凸部先端面７２５Ａ側に移動させ、係合凸部７２５および係止孔部７３４の係合を解除できる。このとき、係合凸部７２５の外周面が係止孔部７３４の内周面に対して平行な状態ではなく傾斜している状態なので、横面閉塞部７２０を下面閉塞部４１０とのなす角度が鈍角となる状態に折曲しながら、係合凸部７２５および係止孔部７３４の係合を解除できる。一方、第１の実施の形態の構成では、係合先端部４２５Ｃの先端面４２５Ｃ１が係止孔部４３４の内周面に対して平行な状態なので、横面閉塞部４２０を下面閉塞部４１０とのなす角度が鈍角となる状態に折曲しながら係合舌片部４２５および係止孔部４３４の係合を解除することが困難である。したがって、係合凸部７２５を先端に従って縮径する形状に形成することにより、第１の実施の形態の構成と比べて、係合凸部７２５および係止孔部７３４の係合の解除を容易にできる。よって、例えば廃棄する際に収納部材７００を容易に板状にすることができ、収納部材７００の体積を減らすことができる。
【００５６】
そして、背面端部７３３に、傾斜面７３３Ｂを設けている。このため、背面閉塞部７３０の折曲状態を厳密に管理しなくても背面端部７３３を狭持させることができ、収納部材７００をさらに容易に組み立てることができる。
【００５７】
また、下面閉塞部４１０、横面閉塞部７２０、および、背面閉塞部７３０を金属により形成している。このため、剛性が高い収納部材７００を提供できる。さらに、容易に組み立て可能な収納部材７００をラジオ装置５００の筐体６００に適用している。このため、ラジオ装置５００の製造時の作業性を向上できる。
【００５８】
〔実施の形態の変形〕
なお、本発明は、上述した一実施の形態に限定されるものではなく、本発明の目的を達成できる範囲で以下に示される変形をも含むものである。
【００５９】
すなわち、第１の折曲規制部を以下のようにしてもよい。例えば当接舌片部４２３を設けないとともに、背面端部４３３，７３３の延出先端から背面連結部４３２と同方向に板状に延出する背面板状部を設ける。そして、横面部４２１および背面板状部のうちいずれか一方に例えば絞り加工により形成された凸部を設けるとともに、いずれか他方に凸部が係合される孔部を設け、これらの係合により背面閉塞部４３０，７３０の折曲状態を規制する構成としてもよい。
【００６０】
さらに、当接舌片先端部４２４を設けない構成としてもよい。このような構成にすれば、横面閉塞部４２０，７２０の製造を容易にできる。
【００６１】
また、当接舌片部４２３を、平面視での当接板状部４２２，７２２との間隔が背面端部４３３，７３３の厚さ寸法よりも小さくなる状態に設ける構成としてもよい。このような構成にすれば、当接舌片部４２３および当接板状部４２２，７２２による背面端部４３３，７３３の狭持力を高めることができる。
【００６２】
そして、当接板状部４２２，７２２に、延出先端に従って当接舌片部４２３との距離が長くなる状態に傾斜する延出傾斜部を設けてもよい。このような構成にすれば、背面端部４３３，７３３を当接板状部４２２，７２２および当接舌片部４２３の間により容易に案内して狭持させることができる。
【００６３】
また、当接舌片部４２３の形状を細棒状としてもよい。このような構成にすれば、当接舌片部４２３の体積を減らすことができ、収納部材４００，７００の軽量化を図ることができる。なお、当接舌片部４２３を１個、あるいは、３個以上設ける構成としてもよい。また、当接板状部４２２，７２２や当接舌片部４２３を横面部４２１に溶接や接着剤などで取り付ける構成としてもよい。
【００６４】
さらに、係止孔部４３４，７３４の代わりに、一面が閉塞された溝状の係止部を設けてもよい。さらに、係合舌片部４２５を、先端側が当接板状部４２２の延出基端側に位置し、基端側が当接板状部４２２の延出先端側に位置する状態で設けてもよい。
【００６５】
そして、係合凸部７２５を絞り加工ではなく、凸状の部材を溶接や接着剤により背面端部７３３に取り付ける構成としてもよい。このような構成にすれば、絞り加工する設備を準備する必要がなくなり、係合凸部７２５を容易に形成できる。また、係合凸部７２５を先端に従って縮径しない形状に形成してもよい。
【００６６】
さらに、当接板状部４２２を舌片状に設けるとともに、この当接板状部４２２とは別体で当接舌片部４２３を設ける構成としてもよい。そして、当接板状部４２２を舌片状に設けるとともに、先端側に係合凸部７２５を有する舌片状の部材を設ける構成としてもよい。すなわち、本発明の係止部を、横面部４２１における背面閉塞部４３０に隣り合う側縁近傍に設ける構成としてもよい。これらのような構成にすれば、横面閉塞部４２０，７２０のさらなる軽量化を図ることができる。
【００６７】
また、第１，２の実施の形態の第１の折曲規制部の構成を横面部４２１の折曲状態を規制する状態で設けるとともに、第２の折曲規制部を背面閉塞部４３０，７３０の折曲状態を規制する状態に設ける構成としてもよい。
【００６８】
そして、本発明の収納部材を、プラスチックやゴムなどの金属以外の材料により形成してもよい。
【００６９】
さらに、本発明の電子機器としては、ラジオ装置１００，５００に限らず、テレビ装置、映像や音声の記録装置、再生装置、記録再生装置、アンプ、チューナ、ゲーム機器、ナビゲーション装置、パーソナルコンピュータ、電子レンジなどとしてもよい。
【００７０】
また、本発明の収納部材を、机の引き出し、本立て、収納棚、ゴミ箱などの電子機器以外の構成に適用してもよい。
【００７１】
〔実施の形態の作用効果〕
上述したように、上記実施の形態では、収納部材４００に、背面閉塞部４３０の折曲状態を規制する第１の折曲規制部を横面部４２１に一体的に設けるとともに、横面部４２１の折曲状態を規制する第２の折曲規制部を横面部４２１および背面閉塞部４３０に一体的に設けている。このため、横面部４２１および背面閉塞部４３０を下面閉塞部４１０の一面側に折曲した後に、第１，第２の折曲規制部により背面閉塞部４３０および横面部４２１の折曲状態を規制させるだけで収納部材４００を組み立てることができる。したがって、折曲する工程の後にねじ止め工程やかしめる工程を設けることなく背面閉塞部４３０および横面部４２１を固定でき、収納部材４００を容易に組み立てることができる。
【００７２】
また、容易に組み立て可能な収納部材４００をラジオ装置１００の筐体３００に適用している。このため、ラジオ装置１００の製造時の作業性を向上できる。
【図面の簡単な説明】
【００７３】
【図１】本発明の第１の実施の形態に係るラジオ装置の分解斜視図である。
【図２】前記第１の実施の形態におけるラジオ装置の収納部材の要部を示す斜視図である。
【図３】前記第１の実施の形態における図２におけるIII−III線に沿った断面図である。
【図４】前記第１の実施の形態における横面閉塞部および背面閉塞部が折曲されていない状態を示す斜視図である。
【図５】前記第１の実施の形態における背面閉塞部のみが折曲された状態を示す斜視図である。
【図６】本発明の第２の実施の形態に係るラジオ装置の分解斜視図である。
【図７】前記第２の実施の形態におけるラジオ装置の収納部材の要部を示す斜視図である。
【図８】前記第２の実施の形態における図７におけるVIII−VIII線に沿った断面図である。
【図９】前記第２の実施の形態における横面閉塞部および背面閉塞部が折曲されていない状態を示す斜視図である。
【図１０】前記第２の実施の形態における背面閉塞部のみが折曲された状態を示す斜視図である。
【符号の説明】
【００７４】
１００，５００……電子機器としてのラジオ装置
２００……収納物としての処理部
３００Ａ…収納空間
４００，７００……収納部材
４１０……基部としての下面閉塞部
４１０Ａ…第２の側縁としての横側縁
４１０Ｂ…第１の側縁としての背側縁
４２１……第２の側面部としての横面部
４２２，７２２……第１の折曲規制部を構成する第１の当接延出部としての当接板状部
４２３……第１の折曲規制部を構成する第２の当接延出部としての当接舌片部
４２４……延出傾斜部としての当接舌片先端部
４２５……第２の折曲規制部を構成する係合部としての係合舌片部
４３０，７３０……第１の側面部としての背面閉塞部
４３４，７３４……第２の折曲規制部を構成する係止部としての係止孔部
４７０……閉塞部材としての上面部材
４８０……閉塞部材としての前面部材
７２５……第２の折曲規制部を構成する係合部としての係合凸部
【図１】
2007142166.tif 000003
【図２】
2007142166.tif 000004
【図３】
2007142166.tif 000005
【図４】
2007142166.tif 000006
【図５】
2007142166.tif 000007
【図６】
2007142166.tif 000008
【図７】
2007142166.tif 000009
【図８】
2007142166.tif 000010
【図９】
2007142166.tif 000011
【図１０】
2007142166.tif 000012